(57)【要約】【課題】撮像機能を備えた電子機器のレンズ部に指が掛かった状態を直接に検出して、撮影に支障があることを報知し得るようにする。【解決手段】カメラ付き携帯通信端末のカメラと照度センサを起動し（ステップＳ１）、所定照度以上が得られたとき（ステップＳ３の“ＹＥＳ”）撮像画面の輝度を検出する（ステップＳ５）。画面の周辺を含むと共に連続しており所定サイズ以上である領域に含まれるすべての画素の輝度が所定輝度以下であるとき（ステップＳ７の“ＹＥＳ”）、撮影に支障がある旨を可視的に又は可聴音により報知する。【選択図】図４
2010199851.tif 000002
【特許請求の範囲】
【請求項１】
カメラと、
周囲の照度を測定することができる照度測定手段と、
前記照度測定手段が測定した照度が所定照度以上のとき前記カメラが撮影する画面において、前記画面の周辺を含むと共に連続しており所定サイズ以上である領域に含まれるすべての画素の輝度が所定輝度以下であるとき、撮影に支障があると判定する判定手段と、
前記判定手段が撮影に支障があると判定したことを報知することができる報知手段とを
備えたことを特徴とする電子機器。
【請求項２】
前記判定手段は、前記画面の全体においてすべての画素の輝度が前記所定輝度以下であるときを除いて、撮影の支障の有無を判定することができることを特徴とする請求項１に記載の電子機器。
【請求項３】
前記報知手段は、所定のテキスト又は画像を可視的に表示することにより前記撮影に支障があると判定したことを報知することができることを特徴とする請求項１に記載の電子機器。
【請求項４】
前記報知手段は、所定の可聴音を発生することにより前記撮影に支障があると判定したことを報知することができることを特徴とする請求項１に記載の電子機器。
【発明の詳細な説明】
【技術分野】
【０００１】
本発明は電子機器に係り、特に撮像機能を備えた電子機器に関する。
【背景技術】
【０００２】
例えばデジタルスチルカメラやカメラ付き携帯電話機のように、撮像機能を備えた電子機器が広く用いられている。多くのデジタルスチルカメラは撮影のため起動されるとレンズ部が筐体の外部に突出するので、レンズに指が掛かって撮影の妨げになるような事態を防ぐことができる。一方、カメラ付き携帯電話機のカメラは起動されてもレンズ部が突出しないため、レンズに指が掛かって撮影の妨げになる可能性がある。
【０００３】
このような問題に対して、レンズに指が掛かった状態で撮影してしまう失敗を予防する技術が知られている（例えば、特許文献１ないし特許文献３参照。）。上記の特許文献1に開示されたカメラは、測距、測光用の複数の受光素子を備え、受光素子間の明るさの差異が検出されたときいずれかの光路に指が掛かった状態にあると判断して警告するものである。
【０００４】
上記の特許文献２に開示された障害物接近防止カメラは、被写体の方向に向けて光を照射する赤目軽減発光部と、これに隣接し被写体の方向からの受光量を計測するＡＥ受光部を備え、指が赤目軽減発光部に接近したときその投光が障害物より反射されたことに起因するＡＥ受光部における受光量の増加を捉えて指の接近を検知するものである。
【０００５】
上記の特許文献３に開示されたデジタルカメラは、補助光発光部から開孔部を通して所定のパターンで投射されているはずの自動焦点（ＡＦ）補助光が画像データから検出されないとき、開孔部とこれに近接するフラッシュ窓にユーザの指が掛かった状態にあることを検出するものである。
【先行技術文献】
【特許文献】
【０００６】
【特許文献１】特開２００４−１２４９７号公報（第５ページ、図７）
【特許文献２】特開平１０−２８２５５１号公報（第３ページ、図４）
【特許文献３】特開２００６−３０１３９１号公報（第１０ページ、図８）
【発明の概要】
【発明が解決しようとする課題】
【０００７】
上述した特許文献１に開示されたカメラは、測距、測光用の複数の受光素子間の明るさの相違が指の接近によるとの仮定に立って指が掛かった状態を間接的に検出するものであるが、指が掛かっていなくてもそのような明るさの相違を生じる場合がないとはいいきれないから、誤検出を招く可能性がある。また、複数の受光素子を備えるため、部品点数、サイズ、製造コストの面で有利とはいえない。
【０００８】
上述した特許文献２に開示された障害物接近防止カメラは、赤目軽減光の受光量の増加が指の接近によるとの仮定に立って指が掛かった状態を間接的に検出するものであるが、指が掛かっていなくてもそのような受光量の増加を生じる場合がないとはいいきれないから、誤検出を招く可能性がある。
【０００９】
上述した特許文献３に開示されたデジタルカメラは、投射されているはずのＡＦ補助光が画像データから検出されないことが指の接近によるとの仮定に立って指が掛かった状態を間接的に検出するものであるが、指が掛かっていなくてもそのような現象が起こる場合がないとはいいきれないから、誤検出を招く可能性がある。
【００１０】
本発明は上記問題を解決するためになされたもので、撮像機能を備えた電子機器のレンズ部に指が掛かった状態にあることを直接に検出して、撮影に支障があることを報知し得るようにすることを目的とする。
【課題を解決するための手段】
【００１１】
上記目的を達成するために、本発明の電子機器は、カメラと、周囲の照度を測定する照度測定手段と、前記照度測定手段が測定した照度が所定照度以上のとき前記カメラが撮影する画面において、所定サイズ以上であって連続すると共に前記画面の周辺を含む領域に含まれるすべての画素の輝度が所定輝度以下であるとき、撮影に支障があると判定する判定手段と、前記判定手段が撮影に支障があると判定したことを報知する報知手段とを備えたことを特徴とする。
【発明の効果】
【００１２】
本発明によれば、撮像機能を備えた電子機器のレンズ部に指が掛かった状態であるか否かを撮影された画像に基づいて判定することにより、指が掛かった状態にあることを直接に検出して、撮影に支障があることを報知し得るようにすることができる。
【図面の簡単な説明】
【００１３】
【図１】本発明の実施例に係る電子機器（携帯通信端末）の外観（正面）図。
【図２】本発明の実施例に係る携帯通信端末の外観（背面）図。
【図３】本発明の実施例に係る携帯通信端末のブロック図。
【図４】本発明の実施例に係る携帯通信端末の動作を表すフローチャート。
【図５】本発明の実施例に係る携帯通信端末のカメラ起動後に撮影される画面の一例を表す図。
【図６】図５に表した画面に指が掛かった状態を表す図。
【図７】図４に表したフローチャートの変形例。
【発明を実施するための形態】
【００１４】
以下、図１ないし図７を参照して、本発明の実施例を説明する。図１は、本発明の実施例に係る電子機器であるカメラ付きの携帯通信端末１の外観図である。携帯通信端末１は、第１筐体１１と第２筐体１２が開閉可能に接続されて構成される。図１は、第１筐体１１と第２筐体１２が互いに開いた状態を使用者側（正面側）から見て表したものである。ただし、携帯通信端末１の筐体構成は、図１に表したようないわゆる折りたたみ型に限るものではない。
【００１５】
第１筐体１１には、例えば液晶デバイスからなる表示部１４が取り付けられている。表示部１４はテキスト又は画像を表示することができ、携帯通信端末１は表示部１４を用いて画面表示を伴うアプリケーション（例えば電子メール送受信、ウェブページ閲覧、電話帳の作成と閲覧、その他）を実行することができる。第１筐体１１には、受話部１５が取り付けられている。第２筐体１２には、送話部１６が取り付けられている。携帯通信端末１は、受話部１５と送話部１６を備えたことにより、音声通話に用いることができる。
【００１６】
第２筐体１２には、複数の操作キーからなる操作部１７（破線の枠で囲んで表す。）が取り付けられている。操作部１７は、図示しない第１筐体１１又は第２筐体１２の側面又は背面に設けられた操作キーを含んでもよい。操作部１７に属する操作キーが操作されることにより、携帯通信端末１の起動、停止操作又はテキストや操作コマンドの入力が可能になる。上述した表示部１４、受話部１５、送話部１６及び操作部１７は、いずれも携帯通信端末１のヒューマンインターフェース手段として機能する。
【００１７】
図２は、携帯通信端末１を図１に表したのとは反対側（背面側）から見て表す外観図である。第２筐体１２の背面の第１筐体１１に近い部分に、カメラ１３が取り付けられている。また、カメラ１３に隣接する位置に、照度センサ１８が取り付けられている。照度センサ１８は、周辺の照度を測定することができる。
【００１８】
図３は、携帯通信端末１のブロック図である。携帯通信端末１は、アンテナ１９と送受信部２０を備え、図示しない移動通信基地局との間で電波の送受信をすることができる。携帯通信端末１は、音声インターフェース部２１、制御部２２、ランダムアクセスメモリ（ＲＡＭ）２３及び読み出し専用メモリ（ＲＯＭ）２４を備えている。
【００１９】
送受信部２０、音声インターフェース部２１、ＲＡＭ２３及びＲＯＭ２４並びに図１を参照して説明したカメラ１３、表示部１４、操作部１７及び照度センサ１８は、例えば共通バスを通してそれぞれ制御部２２に接続され、制御部２２によって監視及び制御される。制御部２２は、例えばマイクロプロセッサのような処理デバイスが単一で、又は複数のチップが組み合わされて構成される。
【００２０】
ＲＡＭ２３は、携帯通信端末１の機能を実現するために制御部２２が所要のプログラム又はデータを随時読み書きして使用するメモリである。ＲＯＭ２４は、プログラム又はデータが予め書き込まれたメモリである。
【００２１】
音声通話の場合、相手方から上記の基地局を通して送られてくる符号化された音声信号は、アンテナ１９を経て送受信部２０において受信されると共に復調及び誤り訂正等の処理がされ、さらに音声インターフェース部２１において復号されると共に受話部１５から再生される。また、送話部１６がピックアップした音声は音声インターフェース部２１において符号化され、送受信部２０において誤り訂正符号化、変調及び増幅された後アンテナ１９から基地局へ向けて送信される。
【００２２】
データ通信の場合、相手方から上記の基地局を通して送られてくるデータ信号は、アンテナ１９を経て送受信部２０において受信されると共に復調、誤り訂正等の処理がされ、制御部２２に送られてＲＡＭ２３に書き込まれたり表示部１４に表示されたりする。また、操作部１７から入力されたりＲＡＭ２３から読み出されたりしたデータは、送受信部２０において誤り訂正符号化、変調及び増幅された後アンテナ１９から基地局へ向けて送信される。
【００２３】
携帯通信端末１は、輝度検出部２５を備えている。輝度検出部２５は、カメラ１３から出力される画素ごとのＲＧＢ形式の撮像信号をＹＵＶ形式の信号に変換して、画素ごとの輝度信号Ｙを求めることができる。
【００２４】
図４ないし図６を参照して、携帯通信端末１の本実施例に係る動作を説明する。図４は、携帯通信端末１の動作を表すフローチャートである。本実施例に関連する処理が例えば操作部１７の操作がなされたことに基づいて開始されると（ＳＴＡＲＴ）、制御部２２はカメラ１３と照度センサ１８を起動する（ステップＳ１）。照度センサ１８が測定した周囲の照度が所定の照度（例えば２５０ルクスとするが、これに限るものではない。）以上であれば（ステップＳ３の“ＹＥＳ”）、制御部２２は輝度検出部２５に対して、カメラ１３から出力される画素ごとのＲＧＢ形式の撮像信号をＹＵＶ形式の信号に変換し画素ごとの輝度信号Ｙを求めるように制御する（ステップＳ５）。
【００２５】
図５は、ステップＳ１においてカメラ１３を起動した後に撮影される画面の一例を表す図である。図６は、同じ画面に指が掛かった状態を表す図である。輝度検出部２５は、図６に示すように画面の左下方に指が掛かった結果、連続すると共に画面の周辺を含むａ（横）×ｂ（縦）ピクセル以上のサイズの領域（クロスハッチングを付して表す。）の輝度が所定輝度以下の状態になっていることを検出する。
【００２６】
当該クロスハッチング領域のサイズ（ａ×ｂ）が、レンズ部に指が掛かった状態にあるため撮影に支障があると判定する所定サイズ以上であって、かつ、当該クロスハッチング領域が連続しており画面の周辺を含むものであれば（ステップＳ７の“ＹＥＳ”）、制御部２２は撮影に支障があると判定し、その旨を報知する（ステップＳ９）。
【００２７】
制御部２２は、例えば所定のテキスト又は画像を表示部１４に表示するという可視的手段によって、上記の撮影に支障がある旨の報知を行うことができる。制御部２２は、受話部１５又は他の図示しないスピーカから所定の可聴音を発生させることによって、上記の撮影に支障がある旨の報知を行ってもよい。
【００２８】
上記の報知がされると、携帯通信端末１の利用者はレンズ部に指が掛かった状態に気付いてこれを解消することができる。制御部２２は、上記の報知後に撮像画面を表示部１４に表示させてプレビューを可能にし（ステップＳ１１）、本実施例に関連する処理を終了する（ＥＮＤ）。
【００２９】
なお、ステップＳ３において照度センサ１８が測定した周囲の照度が所定の照度未満であれば（ステップＳ３の“ＮＯ”）、指が掛かった状態でなくても画面中に低輝度の領域が広がることが予想されるから、制御部２２は上記の撮影支障の有無の判定を行わずにプレビューに移る。また、ステップＳ７において上述した指が掛かった状態にあると判定する条件が満たされなければ（ステップＳ７の“ＮＯ”）、制御部２２は撮影支障の報知を行わずにプレビューに移る。
【００３０】
図７を参照して、携帯通信端末１の本実施例に係る動作の変形例を説明する。処理の開始後、ステップＳ１からステップＳ７までの動作は図４に表したのと同じである。ステップＳ７において上述した指が掛かった状態にあると判定する条件が満たされた場合（ステップＳ７の“ＹＥＳ”）、制御部２２は、画面全体における全画素の輝度を輝度検出部２５に検出させる。
【００３１】
その結果、画面の少なくとも一部における画素の輝度が所定輝度を超えていれば（ステップＳ８の“ＮＯ”）、制御部２２は上述したステップＳ９以降の処理に移る。一方、画面全体において全画素の輝度が所定輝度以下であれば（ステップＳ８の“ＹＥＳ”）、低輝度色の被写体を撮影中であることが予想されるから、制御部２２は上記の撮影支障の有無の判定を行わずにプレビューに移る。
【００３２】
以上に説明した本発明の実施例によれば、レンズ部に指が掛かった状態を直接に検出して、撮影の支障の有無を利用者に報知することができる。なお、以上の説明における携帯通信端末の種類、形状、構成、接続、処理フロー等は例示であり、本発明の要旨を逸脱しない範囲でさまざまな変形が可能である。本発明に係る電子機器は、携帯通信端末に限るものではない。
【符号の説明】
【００３３】
１  携帯通信端末
１１  第１筐体
１２  第２筐体
１３  カメラ
１４  表示部
１５  受話部
１６  送話部
１７  操作部
１８  照度センサ
１９  アンテナ
２０  送受信部
２１  音声インターフェース部
２２  制御部
２３  ＲＡＭ
２４  ＲＯＭ
２５  輝度検出部
【図１】
2010199851.tif 000003
【図２】
2010199851.tif 000004
【図３】
2010199851.tif 000005
【図４】
2010199851.tif 000006
【図５】
2010199851.tif 000007
【図６】
2010199851.tif 000008
【図７】
2010199851.tif 000009